(57)【要約】【課題】複数の製造所からガスが供給されるガス供給システムにおいて、それぞれの製造所がガスを供給する地域を予測し、特定の需要者に対して安定したガス性状を有するガスを供給するガス供給方法を提供する。【解決手段】ガス供給システムを事前に導管網解析を行うことによって、それぞれノードｎ１〜ｎ１１の負荷流量およびガス圧力と、各ノード間を流動するガス流量、向き、およびそのガス性状とが求められる。この解析結果に基づいて、導管網内に設けられた複数のノードに供給されるガス性状を事前に解析することができる。また、特定ノードを介して供給される需要者に対して供給するガス性状を事前に解析することができる。また、特定ノードに供給されるガス性状が変化する場合、種々の対策を事前に実行解析することによって、ガス性状を安定して供給するためのガス製造量および各設備の設定値を容易に知ることができる。【選択図】        図３
2004295567.tif 000002
【特許請求の範囲】
【請求項１】
複数の製造所から複数の節点が設けられた導管網を介して需要者へガスを供給するガス供給方法であって、
需要者のガス需要量を事前に予測して予測需要量を求める需要量予測ステップと、
前記需要量予測ステップで求められた予測需要量に基づいて、前記複数の製造所から前記導管網に送出されるそれぞれのガス送出量を設定する送出量設定ステップと、
前記需要量予測ステップで求められた予測需要量および前記送出量設定ステップで設定されたガス送出量に基づいて、前記節点間をそれぞれ流動するガス流量およびいずれの前記製造所から送出されたガスかを示すガス素性を求める導管網解析ステップとを含む、ガス供給方法。
【請求項２】
前記複数の節点は、少なくとも１つの特定節点を含んでおり、
前記導管網解析ステップで求められた前記ガス流量および前記ガス素性に基づいて、前記特定節点と隣接する他の節点から当該特定節点に流動する前記ガス素性を抽出するガス素性抽出ステップをさらに含む、請求項１に記載のガス供給方法。
【請求項３】
前記特定節点は、前記導管網と、前記ガス素性の変化によって影響を受ける用途でガスを消費する需要者へガスを供給する導管との分岐点に設けられることを特徴とする、請求項２に記載のガス供給方法。
【請求項４】
前記需要量予測ステップは、前記ガス需要量を事前に所定の時間単位毎に予測して当該時間単位毎の予測需要量を求め、
前記送出量設定ステップは、前記需要量予測ステップで求められた前記時間単位毎の予想需要量に基づいて、当該時間単位毎の前記ガス送出量を設定し、
前記導管網解析ステップは、前記需要量予測ステップで求められた前記時間単位毎の予測需要量および前記送出量設定ステップで設定された前記時間単位毎のガス送出量に基づいて、当該時間単位毎の前記ガス流量および前記ガス素性を求め、
前記ガス素性抽出ステップは、前記導管網解析ステップで求められた前記時間単位毎の前記ガス流量および前記ガス素性に基づいて、前記特定節点と隣接する他の節点から当該特定節点に流動する前記ガス素性を当該時間単位毎に抽出する、請求項２に記載のガス供給方法。
【請求項５】
前記ガス素性抽出ステップが抽出した前記時間単位毎に区分された時間帯のガス素性が直前の時間帯の前記ガス素性に対して変化した場合、その変化を防止するための対策を前記導管網に講じて、再度、前記導管網解析ステップで当該時間帯に対して前記ガス流量および前記ガス素性を求めさせる対策実行ステップをさらに含む、請求項４に記載のガス供給方法。
【請求項６】
前記対策実行ステップは、前記送出量設定ステップで設定される前記時間単位毎の前記ガス送出量を変更することによって、前記変化を防止することを特徴とする、請求項５に記載のガス供給方法。
【請求項７】
前記対策実行ステップは、前記導管網に設けられた圧力を調整するガバナの圧力調整値を変更することによって、前記変化を防止することを特徴とする、請求項５に記載のガス供給方法。
【請求項８】
前記対策実行ステップは、前記導管網に設けられたガスを貯留するホルダの受入／払出の活動を変更することによって、前記変化を防止することを特徴とする、請求項５に記載のガス供給方法。
【請求項９】
前記対策実行ステップは、前記導管網内で前記時間帯に予定されている一時的な導管の閉止／開放を延期することによって、前記変化を防止することを特徴とする、請求項５に記載のガス供給方法。
【請求項１０】
前記ガス素性抽出ステップで抽出された前記時間単位毎のガス素性を所定の期間分をまとめたリストを作成するリスト作成ステップをさらに含む、請求項４乃至９に記載のガス供給方法。
【請求項１１】
前記導管網解析ステップは、さらに、前記複数の節点毎に生じるガス圧力を求め、
それぞれの前記導管網に対して許容された圧力範囲に対して、前記導管網解析ステップで求められた前記複数の節点毎のガス圧力が当該圧力範囲を推移しているか管理するガス圧力管理ステップをさらに含む、請求項１に記載のガス供給方法。
【発明の詳細な説明】
【０００１】
【発明の属する技術分野】
本発明は、複数の製造所から送出されるガスの供給を最適に運用する方法に関し、より特定的には、ガスが供給される需要者に対して、そのガスを送出する製造所を区別してガス供給を行う方法に関する。
【０００２】
【従来の技術】
従来、複数の製造所において製造され需要者に供給するガスの送出量は、需要者の消費量によって決定される。このガスの送出量を制御する方式には、例えば、各製造所から需要者までのガス供給ラインの圧力が一定に調整される、いわゆるプレッシャーコントロール（ＰＣ）送出方式がある。このＰＣ送出方式では、各製造所からのガス送出が、停電等で一時的に停止した場合でもガス供給が途絶えないように、ガス供給ラインの後述する高圧幹線を、例えば３〜４ＭＰａ（メガパスカル）という極めて高い圧力に保たれる。したがって、需要者の消費が増加して上記高圧幹線の圧力が低下した場合には、即座に各製造所からのガス送出量を増加させて、当該高圧幹線の圧力が一定になるように調整される。つまり、各製造所の出口圧力は、常に一定に保たれる。
【０００３】
一方、上記ガスの送出量を制御する他の方式には、各製造所が上記高圧幹線に供給するガスの流量を一定に調整する、いわゆるフローコントロール（ＦＣ）送出方式がある。また、一部の製造所がＦＣ送出方式を用いてガスを供給し、他の製造所がＰＣ送出方式を用いてガスを供給するＰＣ−ＦＣ送出方式を用いる場合もある（例えば特許文献１参照。）。
【０００４】
図１５を参照して、各製造所から需要者までのガス供給システムを説明する。なお、図１５は、当該ガス供給システムを模式的に表したブロック図である。図１５において、第１および第２の製造所１および２は、ガスを製造し高圧状態が保たれた高圧幹線１０に送出する。高圧幹線１０は、上記高圧を中圧Ａに降圧する複数の高圧ガバナ３ａおよび３ｂを介して中圧Ａガス導管網１１と接続されている。そして、中圧Ａガス導管網１１は、上記中圧Ａを中圧Ｂに降圧する複数の中圧Ａガバナ４ａ〜４ｄを介して中圧Ｂガス導管網１２と接続されている。また、ホルダ５ａおよび５ｂは、典型的には中圧Ａガス導管網１１および中圧Ｂガス導管網１２を接続する１つ以上の中圧Ａガバナ４ａ〜４ｄと並列に設置されており、その前後にバルブが設けられている。ホルダ５ａおよび５ｂは、上記バルブの開閉によって中圧Ａガス導管網１１から内部にガスを貯留し、また中圧Ｂガス導管網１２に放出することができる。その機能によって、ホルダ５ａおよび５ｂは、需要者の消費量が増加すると、貯留したガスを放出し、需要者の消費量が減少すると、余ったガスを貯留して、需要者における消費量の急激な変動の影響を緩和する。中圧Ｂガス導管網１２は、上記中圧Ｂを低圧に降圧する複数の中圧Ｂガバナ６ａ〜６ｆを介して低圧ガス供給導管網１３と接続されている。そして、低圧ガス供給導管網１３は、需要者２１に接続し、第１および第２の製造所１および２で製造されたガスが低圧で需要者２１へ送られ消費される。また、中圧Ａガス導管網１１および中圧Ｂガス導管網１２からも、それぞれ中圧Ａおよび中圧Ｂのガスが需要者２２および２３へ送られ消費される。
【０００５】
【特許文献１】
特開２０００−２６５１８４号公報
【０００６】
【発明が解決しようとする課題】
ところで、複数の製造所において製造され需要者に供給するガスの発熱量や比重等（以下、ガス性状と記載する）は、許容範囲内で管理されている。しかしながら、それぞれの製造所が共通の許容範囲でガス性状を管理していても、それぞれの製造所毎にその許容範囲内でガス性状に差が生じ、この差は、一定に制御することが困難であるため時間と共に変化する。
【０００７】
例えば、液化天然ガス（ＬＮＧ：Ｌｉｑｕｅｆｉｅｄ  Ｎａｔｕｒａｌ  Ｇａｓ）を原料とする１３Ａガスの場合、発熱量が約４６ＭＪ／ｍ３Ｎ、比重が約０．６５であるが、これらのＬＮＧの性状は、ＬＮＧの産地やタンク内部での貯蔵期間等によって変動する。また、別途ＬＰＧ（Ｌｉｑｕｅｆｉｅｄ  Ｐｅｔｒｏｌｅｕｍ  Ｇａｓ：液化石油ガス）を混合させて発熱量を調節する場合、この発熱量調整の精度管理範囲内でばらつきが生じる。これらの理由によって、それぞれの製造所毎のガス性状は、上記許容範囲内で変動する。
【０００８】
一般的なガスを消費する機器においては、上記ガス性状の変動が上記許容範囲内であればそれらの機器に支障がないが、特殊なガス用途においては、上記許容範囲内でわずかな性状の変動でも支障が生じる場合がある。例えば、ガスの炎によって電球や蛍光灯等のガラス製品を連続的および自動的に製造している工場では、上記ガス性状のわずかな変化によって発生する火炎長の変化がガラスの加熱温度に影響を与える。したがって、このような工場では、ガス性状変化が製品の仕上がりに影響を与えるため、その製品の不良率を高めることがある。そこで、一般的には、上記工場では、定期的に上記火炎長を確認し調整することによって品質管理を行っており、定期的な確認および調整によって上記ガス性状変化に対応している。また、上記工場にガスを供給している製造所では、要望に応じてガス性状変化の変動を小さい幅に抑える、あるいは変動速度を小さい値にして緩やかな変動にする等の対応をしたガス性状管理を行う場合がある。
【０００９】
しかしながら、図１５に示すように複数の製造所からガスを供給する場合、第１の製造所１から送出されたガスが供給される地域と、第２の製造所２から送出されたガスが供給される地域とが存在する。それらの地域の境界は、第１および第２の製造所１および２からのガス送出量の変更や需要量の変化、各ガバナの設定圧の変更、ホルダへの貯留あるいはホルダから放出開始等の様々な要素によって移動する。したがって、上記工場が図１５に示す需要者２２のような上記境界付近でガスが供給されている場合、上記工場にガスを供給する製造所が境界の移動によって短時間で切り替わることがある。つまり、上述したようにそれぞれの製造所でのガス性状の差が時間と共に変化しているため、上記工場では短時間で急激なガス性状の変化が生じることがある。この場合、上記工場が定期的な確認および調整によって緩やかなガス性状変化に対応しているため、製品の不良が多発することになる。
【００１０】
このような上記地域の境界は、事前に予想することが困難であり、上記工場におけるガス性状の急激な変化も予想することができなかった。
【００１１】
それ故に、本発明の目的は、複数の製造所からガスが供給されるガス供給システムにおいて、それぞれの製造所がガスを供給する地域を予測し、特定の需要者に対して安定したガス性状を有するガスを供給するガス供給方法を提供することである。
【００１２】
【課題を解決するための手段および発明の効果】
上記目的を達成するために、本発明は、以下に述べるような特徴を有している。
第１の発明は、複数の製造所から複数の節点が設けられた導管網を介して需要者へガスを供給するガス供給方法であって、
需要者のガス需要量を事前に予測して予測需要量を求める需要量予測ステップと、
需要量予測ステップで求められた予測需要量に基づいて、複数の製造所から導管網に送出されるそれぞれのガス送出量を設定する送出量設定ステップと、
需要量予測ステップで求められた予測需要量および送出量設定ステップで設定されたガス送出量に基づいて、節点間をそれぞれ流動するガス流量およびいずれの製造所から送出されたガスかを示すガス素性を求める導管網解析ステップとを含む。
【００１３】
上記第１の発明によれば、導管網内に設けられた複数の節点のそれぞれに供給されるガスについて、そのガスを送出した製造所を示すガス素性を解析することができる。
【００１４】
第２の発明は、第１の発明に従属する発明であって、複数の節点は、少なくとも１つの特定節点を含んでおり、
導管網解析ステップで求められたガス流量およびガス素性に基づいて、特定節点と隣接する他の節点からこの特定節点に流動するガス素性を抽出するガス素性抽出ステップをさらに含む。
【００１５】
上記第２の発明によれば、特定節点に注目してその特定節点に供給されるガスのガス素性を解析することができる。
【００１６】
第３の発明は、第２の発明に従属する発明であって、特定節点は、導管網と、ガス素性の変化によって影響を受ける用途でガスを消費する需要者へガスを供給する導管との分岐点に設けられることを特徴とする。
【００１７】
上記第３の発明によれば、複数の節点の内から、ガス素性の変化で支障が生じる特殊なガス用途で消費する需要者に供給する導管に対して、当該需要者に最も近い節点が特定節点として選ばれる。つまり、上記需要者に対して供給するガス素性を解析することができる。
【００１８】
第４の発明は、第２の発明に従属する発明であって、需要量予測ステップは、ガス需要量を事前に所定の時間単位毎に予測してこれら時間単位毎の予測需要量を求め、
送出量設定ステップは、需要量予測ステップで求められた時間単位毎の予想需要量に基づいて、これら時間単位毎のガス送出量を設定し、
導管網解析ステップは、需要量予測ステップで求められた時間単位毎の予測需要量および送出量設定ステップで設定された時間単位毎のガス送出量に基づいて、これら時間単位毎のガス流量およびガス素性を求め、
ガス素性抽出ステップは、導管網解析ステップで求められた時間単位毎のガス流量およびガス素性に基づいて、特定節点と隣接する他の節点からこの特定節点に流動するガス素性をこれら時間単位毎に抽出する。
【００１９】
上記第４の発明によれば、特定節点を介してガスが供給される需要者に対して、時間単位毎に供給されるガス素性の変化を解析することができる。
【００２０】
第５の発明は、第４の発明に従属する発明であって、ガス素性抽出ステップが抽出した時間単位毎に区分された時間帯のガス素性が直前の時間帯のガス素性に対して変化した場合、その変化を防止するための対策を導管網に講じて、再度、導管網解析ステップでこの時間帯に対してガス流量およびガス素性を求めさせる対策実行ステップをさらに含む。
【００２１】
上記第５の発明によれば、上記特定節点に供給されるガス素性が直前の時間帯に対して変化した場合、安定したガス素性のガスを供給するための対策を講じて、再度導管網解析を行う。つまり、上記特定節点には、安定したガス素性のガスを供給することが可能となる。
【００２２】
第６の発明は、第５の発明に従属する発明であって、対策実行ステップは、送出量設定ステップで設定される時間単位毎のガス送出量を変更することによって、変化を防止することを特徴とする。
【００２３】
上記第６の発明によれば、製造所から導管網へ送出される送出量を変更することによって、特定節点に供給されるガス素性を安定させることができる。
【００２４】
第７の発明は、第５の発明に従属する発明であって、対策実行ステップは、導管網に設けられた圧力を調整するガバナの圧力調整値を変更することによって、変化を防止することを特徴とする。
【００２５】
上記第７の発明によれば、導管網に設けられているガバナの圧力調整値を変更することによって、特定節点に供給されるガス素性を安定させることができる。
【００２６】
第８の発明は、第５の発明に従属する発明であって、対策実行ステップは、導管網に設けられたガスを貯留するホルダの受入／払出の活動を変更することによって、変化を防止することを特徴とする。
【００２７】
上記第８の発明によれば、導管網に設けられているホルダの活動を変更することによって、特定節点に供給されるガス素性を安定させることができる。
【００２８】
第９の発明は、第５の発明に従属する発明であって、対策実行ステップは、導管網内で時間帯に予定されている一時的な導管の閉止／開放を延期することによって、変化を防止することを特徴とする。
【００２９】
上記第９の発明によれば、導管網に予定されている工事等による一時的な導管の閉止／開放を延期することによって、特定節点に供給されるガス素性を安定させることができる。
【００３０】
第１０の発明は、第４〜９の発明に従属する発明であって、ガス素性抽出ステップで抽出された時間単位毎のガス素性を所定の期間分をまとめたリストを作成するリスト作成ステップをさらに含む。
【００３１】
上記第１０の発明によれば、特定節点に供給される所定期間分のガス素性の変化を明確に示すことができる。
【００３２】
第１１の発明は、第１の発明に従属する発明であって、導管網解析ステップは、さらに、複数の節点毎に生じるガス圧力を求め、
それぞれの導管網に対して許容された圧力範囲に対して、導管網解析ステップで求められた複数の節点毎のガス圧力がこれら圧力範囲を推移しているか管理するガス圧力管理ステップをさらに含む。
【００３３】
上記第１１の発明によれば、ガスを安定して供給するために設けられている各導管に対する許容圧力範囲を推移させながら、節点間を流動するガス素性を解析することができる。
【００３４】
【発明の実施の形態】
本発明の一実施形態に係るガス供給システムについて説明する。なお、当該ガス供給システムの一例として、図１５で示したブロック図を用いて説明する。
【００３５】
図１５において、第１および第２の製造所１および２は、ガスを製造して、高圧状態が保たれた高圧幹線１０に送出する。第１および第２の製造所１および２の送出量は、それぞれ中央指令室７によって制御される。また、第１および第２の製造所１および２から送出されるガスの発熱量や比重等（以下、ガス性状と記載する）は、同じ許容範囲内で管理されている。そして、第１および第２の製造所１および２は、その許容範囲内でガス性状に差が生じていてもよく、当該差が一定なるような連係した制御はされていないため、当該差が時間と共に変化することがある。以下、上述した許容範囲内の管理によって、第１の製造所１からガス性状ａのガスが送出され、第２の製造所２からガス性状ｂのガスが送出されているとする。
【００３６】
高圧幹線１０は、上記高圧を中圧Ａに降圧する複数の高圧ガバナ３ａおよび３ｂを介して中圧Ａガス導管網１１と接続されている。ここで、高圧ガバナ３ａは、第１の製造所１側に設けられており、高圧ガバナ３ｂは、第２の製造所２側に設けられている。
【００３７】
中圧Ａガス導管網１１は、上記中圧Ａを中圧Ｂに降圧する複数の中圧Ａガバナ４ａ〜４ｄを介して中圧Ｂガス導管網１２と接続されている。中圧Ａガス導管網１１には、高圧ガバナ３ａおよび３ｂの間に需要者２２が接続されており、需要者２２には中圧Ａのガスが送られ消費される。そして、中圧Ａガバナ４ａおよび４ｂは、需要者２２に対して高圧ガバナ３ａ側に設けられており、中圧Ａガバナ４ｃおよび４ｄは、需要者２２に対して高圧ガバナ３ｂ側に設けられている。また、中圧Ａガス導管網１１および中圧Ｂガス導管網１２との間には、ホルダ５ａおよび５ｂが接続されている。ホルダ５ａおよび５ｂは、典型的には１つ以上の中圧Ａガバナ４ａ〜４ｄと並列に設置されており、その前後にバルブが設けられている。ホルダ５ａおよび５ｂは、上記バルブの開閉によって中圧Ａガス導管網１１から内部にガスを貯留し、また中圧Ｂガス導管網１２に放出することができる。その機能によって、ホルダ５ａおよび５ｂは、その下流地域に接続されている需要者の消費量が増加すると貯留したガスを放出し、それら需要者の消費量が減少すると余ったガスを貯留して、需要者における消費量の急激な変動の影響を緩和する。ここで、以下の説明を具体的にするために、中圧Ａガス導管網１１に接続された需要者２２は、従来の技術で説明したように、わずかなガス性状の変動でも支障が生じる特殊なガス用途で製造する工場であるとする。また、ホルダ５ａは、中圧Ａガバナ４ａと並列に設けられており、ホルダ５ｂは、中圧Ａガバナ４ｄと並列に設けられている。
【００３８】
中圧Ｂガス導管網１２は、上記中圧Ｂを低圧に降圧する複数の中圧Ｂガバナ６ａ〜６ｆを介して低圧ガス供給導管網１３と接続されている。中圧Ｂガス導管網１２には、需要者２３が接続されており、需要者２３には中圧Ｂのガスが送られ消費される。そして、低圧ガス供給導管網１３は、需要者２１に接続し、第１および第２の製造所１および２で製造された低圧のガスが需要者２１へ送られ消費される。以下、これら需要者２１〜２３で消費されるガスの消費量を需要量と記載する。
【００３９】
高圧幹線１０、中圧Ａガス導管網１１、中圧Ｂガス導管網１２、および低圧ガス供給導管網１３は、それぞれガスを安全にかつ安定した供給を行うための許容圧力範囲が設定されている。具体的には、ガス供給に必要な最低限度の圧力（以下、最低圧力と記載する）と、耐圧上限値の圧力（以下、最高圧力と記載する）との間を上記許容圧力範囲として、それぞれ設定されている。
【００４０】
次に、中央指令室７について説明する。中央指令室７は、例えば中央保安指令部等の部署に設置されており、第１および第２の製造所１および２と通信回線等を介して相互に接続される。そして、中央指令室７は、第１および第２の製造所１および２からの各種データを受信すると共に、第１および第２の製造所１および２におけるガスの最適な製造量を指示する。したがって、中央指令室７には、具体的には通信機器を含む一般的なコンピュータシステム等が設けられる。
【００４１】
中央指令室７では、上述したガス供給システムにおけるガス圧力、流量、および性状を解析するために、高圧幹線１０、中圧Ａガス導管網１１、中圧Ｂガス導管網１２、および低圧ガス供給導管網１３で構成される導管網の節点（以下、ノードと記載する）を設けている。以下、図１を参照して、導管網に設けられるノードの一例を説明する。なお、図１は、高圧幹線１０および中圧Ａガス導管網１１に設けられるノードの一例を説明するための模式図である。
【００４２】
図１において、導管網に設けられるノードは、各導管の分流点および合流点やガバナの前後に設けられ、さらに、導管の直径が変わるポイントや分流点および合流点の間も設けられる。例えば、高圧幹線１０上で高圧ガバナ３ａおよび３ｂへの接続点には、それぞれノードｎ１およびｎ２が設けられる。そして、中圧Ａガス導管網１１上には、ノードｎ３〜ｎ１１が設けられる。ノードｎ３は、中圧Ａガス導管網１１から中圧Ａガバナ４ａおよびホルダ５ａへの接続点に設けられる。ノードｎ４は、高圧ガバナ３ａから中圧Ａガス導管網１１に流入する接続点に設けられる。ノードｎ５は、中圧Ａガス導管網１１から中圧Ａガバナ４ｂへの接続点に設けられる。ノードｎ７は、中圧Ａガス導管網１１から需要者２２への導管の接続点に設けられる。ノードｎ９は、中圧Ａガス導管網１１から中圧Ａガバナ４ｃへの接続点に設けられる。ノードｎ１０は、高圧ガバナ３ｂから中圧Ａガス導管網１１に流入する接続点に設けられる。ノードｎ１１は、中圧Ａガス導管網１１から中圧Ａガバナ４ｄおよびホルダ５ｂへの接続点に設けられる。そして、ノードｎ６およびｎ８は、それぞれノードｎ５〜ｎ７およびｎ７〜ｎ９の間に設けられる。
【００４３】
次に、中央指令室７における最適な送出量および各設備の設定を決定する処理について説明する。以下、図２を参照して、中央指令室７で行う上記送出量および各設備の設定を決定するための処理について説明する。なお、図２は、中央指令室７で行う上記送出量および各設備の設定を決定するための処理について説明するためのフローチャートである。
【００４４】
図２において、中央指令室７では、上記送出量および各設備の設定を朝７時〜翌朝７時までの２４時間に対して、１時間単位の時間帯で分割して事前に計画する。まず、当該フローチャートにおける時間帯を示す一時変数ｔを初期値１に設定する（ステップＳ１）。そして、処理を次のステップに進める。
【００４５】
次に、中央指令室７では、計画を立案する日に対して、その日のガス需要量の予測を行う（ステップＳ２）。この需要量の予測に際しては、その日の天候、気温、湿度、曜日、季節等を勘案し、過去の需要量実績を参考にして、処理対象となっている時間帯ｔにおける予測需要量を求める。そして、処理を次のステップに進める。
【００４６】
次に、中央指令室７では、上記ステップＳ２で予測した時間帯ｔにおける予測需要量が近似する過去の類似日を検索する。そして、その類似日における第１および第２の製造所１および２毎の送出量、ガバナの圧力あるいは流量設定値、およびホルダの受入／払出の設定を参考にして、時間帯ｔにおける送出量および各設備の設定値を設定する（ステップＳ３）。さらに、上記ステップＳ３では、上記時間帯ｔにおいて、導管網の工事等による一時的な導管のバルブ閉止／開放が予定されている場合は、その箇所および内容を設定する。なお、設定された時間帯ｔにおける送出量および各設備の設定値および閉止／開放の計画は、中央指令室７に設けられた上記コンピュータシステムに入力される。そして、処理を次のステップに進める。
【００４７】
次に、中央指令室７では、上記ステップＳ３で各設定値が入力されたコンピュータシステムに対して、導管網解析を実行させる（ステップＳ４）。上記コンピュータシステムは、予め各ノード間の導管径や距離のデータ等が格納されている。上記導管網解析では、上記データと上記ステップＳ３で設定された各設定値とに基づいて、各ノード間のガス圧力および流量が一般的な流体公式を用いて演算される。そして、上記導管網解析によって、各ノードにおける圧力および流量、各ノード間を流動するガス流量、向き、およびそのガス性状が求められる。以下、図３を参照して、導管網解析によって得られるデータについて説明する。なお、図３は、図１で示した高圧幹線１０および中圧Ａガス導管網１１に設定されたノードｎ１〜ｎ１１に対して、上記導管網解析で得られるデータを示す模式図である。
【００４８】
図３において、導管網解析の結果で示されるノードｎ１〜ｎ１１には、それぞれのノード番号ｎ１〜ｎ１１に対して、負荷流量Ｖｏ１〜Ｖｏ１１およびガス圧力Ｐ１〜Ｐ１１が示される。図３では、それぞれのノードｎ１〜ｎ１１に対して、上段にノード番号、中段に負荷流量、下段にガス圧力が示されている。負荷流量は、そのノードが設けられている導管から別の導管や需要者に流出するガス流量を示しており、例えば、単位千Ｎｍ３／ｈで示される。そして、ガス圧力は、そのノードにおけるガス圧力を示しており、例えば、単位ＭＰａで示される。
【００４９】
各ノードｎ１〜ｎ１１の間には、流動するガス流量、向き、およびそのガス性状が示される。図３では、ノードｎｉおよびｎｊの間を流動するガスに対して、ガス流量Ｖｉ−ｊで示し、その方向を矢印で示している。また、ノードｎｉおよびｎｊの間を流動するガス性状ａおよび／またはｂをガス流量Ｖｉ−ｊの先頭に付与することによって、ノード間を流動するガス性状ａおよび／またはｂを区別している。そして、ガス性状ａのガスがノードｎ１を介してノードｎ５まで流動し、ガス性状ｂのガスがノードｎ２を介してノードｎ５まで流動する一例を示している。
【００５０】
例えば、ノードｎ７に注目する。ノードｎ７は、負荷流量Ｖｏ７およびガス圧力Ｐ７が示されている。そして、ノードｎ７には、ノードｎ８からガス流量ｂＶ７−８が供給されており、ガス性状ｂ（第２の製造所２から送出されたガス）のガスのみが流動していることがわかる。そして、上記導管網解析では、ノードｎ７からノードｎ６へ供給するガスもガス性状ｂとして、ガス流量ｂＶ６−７を送出する。そして、ノードｎ７は、需要者２２へ負荷流量Ｖｏ７を送出する。この負荷流量Ｖｏ７は、ノードｎ７から分岐している導管を介して需要者２２に供給されるガス流量を示している。そして、上述したようにノードｎ７へは、ガス性状ｂのガスのみが供給されるため、上記導管網解析では、需要者２２へ供給されるガスも全てガス性状ｂのガスと判断して、ガス流量ｂＶｏ７を需要者２２へ供給するガスとして示す。
【００５１】
次に、ノードｎ５に注目する。ノードｎ５は、負荷流量Ｖｏ５およびガス圧力Ｐ５が示されている。そして、ノードｎ５には、ノードｎ４からガス流量ａＶ４−５およびノードｎ６からガス流量ｂＶ５−６が供給されている。つまり、ノードｎ４には、ガス性状ａおよびｂ（第１および第２の製造所１および２から送出されたガス）のガスが混合されて供給されていることがわかる。そして、ノードｎ５は、中圧Ａガバナ４ｂへ負荷流量Ｖｏ５を送出する。上述したようにノードｎ５へは、ガス性状ａおよびｂのガスが混合されて供給されるため、上記導管網解析では、中圧Ａガバナ４ｂへ供給されるガスをガス性状ａおよびｂが混合されたガスと判断して、ガス流量ａｂＶｏ５をガバナ４ｂへ供給するガスとして示す。つまり、上記導管網解析では、解析対象のノードの上流から供給されるガス性状ａおよび／またはｂを区別して、そのガス性状に応じたガスを下流のノードへ送出する処理を繰り返すことによって、それぞれのノードへ供給されるガス性状を区別していく。
【００５２】
次に、ノードｎ１およびｎ４に注目する。ノードｎ１は、高圧幹線１０に設けられており、負荷流量Ｖｏ１およびガス圧力Ｐ１が示されている。そして、ノードｎ１には、第１の製造所１からガス性状ａのガスが供給されている。上記導管網解析では、ノードｎ１から高圧幹線１０に設けられた他のノードｎｘへ供給するガスもガス性状ａとして、ガス流量ａＶ１−ｘを送出する。そして、ノードｎ１は、中圧Ａガス導管網１１に接続された高圧ガバナ３ａへガス流量ａＶｏ１を送出する。一方、ノードｎ４には、ノードｎ１から高圧ガバナ３ａを介してガス流量ａＶｏ１が送出される。この場合、ガス流量ａＶｏ１は、中圧Ａガス導管網１１に流入するガス流量を示しているため、ノードｎ４で負荷流量−Ｖｏ１が示される。なお、ノードｎ４に流入したガス流量ａＶｏ１は、ノードｎ３およびｎ５へそれぞれガス流量ａＶ３−４およびａＶ４−５として供給される。
【００５３】
図２に戻り、上記ステップＳ４を実行したコンピュータシステムは、その導管網解析結果で示される各ノードのガス圧力が、それぞれの導管網に設定されている上記許容圧力範囲内であるか否かを判断する（ステップＳ５）。そして、上記コンピュータシステムは、上記ステップＳ５で上記許容圧力範囲を外れるノードがある場合、再度上記ステップＳ３に戻って各設定値の設定をやり直しを指示し、全てのノードが上記許容範囲内である場合は、次のステップＳ６に処理を進める。
【００５４】
ステップＳ６では、上記コンピュータシステムは、特定ノードに供給されるガス性状を抽出する。上記特定ノードは、典型的には、わずかなガス性状の変動でも支障が生じる特殊なガス用途で製造する需要者に供給する導管に対して、当該需要者に最も近いノードが選ばれる。例えば、図１および図３に示す需要者２２が、わずかなガス性状の変動でも支障が生じる特殊なガス用途で製造している場合、ノードｎ７が特定ノードに設定される。次に、上記コンピュータシステムは、上記ステップＳ６で抽出したガス性状が、前回の抽出結果（例えば、時間帯ｔ−１の抽出結果）と比較して変化したか否かを判断する（ステップＳ７）。そして、上記コンピュータシステムは、上記ステップＳ７で変化していると判断した場合、次のステップＳ８に処理を進め、変化していないと判断した場合、次のステップＳ１６に処理を進める。
【００５５】
ここで、図４および図５を参照して、上記特定ノードｎ７に対するガス性状の変化について説明する。なお、図４および図５は、説明を具体的にするために、中圧Ａガス導管網１１のガス流量およびガス圧力を具体的な数値の一例で示している。そして、図４は需要者２２にガス性状ｂのガスが供給される一例であり、図５は需要者２２にガス性状ａのガスが供給される一例である。
【００５６】
図４において、特定ノードｎ７は、負荷流量２千Ｎｍ３／ｈ、ガス圧力０．６３ＭＰａが示されている。そして、特定ノードｎ７には、ノードｎ１０を介してノードｎ８からガス性状ｂのガス流量２１千Ｎｍ３／ｈのガスが供給されている。そして、特定ノードｎ７は、ノードｎ８から供給されたガス性状ｂのガス流量２１千Ｎｍ３／ｈのガスから、負荷流量２千Ｎｍ３／ｈを需要者２２へ、残りのガス流量１９千Ｎｍ３／ｈをノードｎ６へ分流する。この場合、上記コンピュータシステムは、特定ノードｎ７に供給されるガス性状としてガス性状ｂを抽出する。以下、特定ノードｎ７から見て、このノードｎ６が設けられている方向を第１方向とし、ノードｎ８が設けられている方向を第２方向と記載する。
【００５７】
一方、図５において、特定ノードｎ７は、負荷流量２千Ｎｍ３／ｈ、ガス圧力０．６３ＭＰａが示されている。そして、特定ノードｎ７には、ノードｎ４を介してノードｎ６からガス性状ａのガス流量１９千Ｎｍ３／ｈのガスが供給されている。そして、特定ノードｎ７は、ノードｎ６から供給されたガス性状ａのガス流量１９千Ｎｍ３／ｈのガスから、負荷流量２千Ｎｍ３／ｈを需要者２２へ、残りのガス流量１７千Ｎｍ３／ｈをノードｎ８へ分流する。この場合、上記コンピュータシステムは、特定ノードｎ７に供給されるガス性状としてガス性状ａを抽出する。
【００５８】
このように、上記コンピュータシステムは、特定ノードｎ７に供給されているガス性状を抽出し、前回の抽出結果と異なるガス性状が抽出された場合、上記ステップＳ７で変化したと判断する。このガス性状の変化は、具体的には、ガス性状ａ→ガス性状ｂおよびガス性状ｂ→ガス性状ａの他に、ガス性状ａ→ガス性状ａ＋ｂおよびガス性状ｂ→ガス性状ａ＋ｂがある。
【００５９】
ステップＳ８〜Ｓ１５では、上記コンピュータシステムは、上記ステップＳ７で判定された特定ノードに対するガス性状変化を防止するための対策１〜４を解析し、それぞれの効果を判定して特定ノードにおける最終的なガス性状を抽出する。以下、それぞれの対策１〜４の実行解析について説明する。
【００６０】
図６は、上記ステップＳ８における対策１の実行解析の処理を示すサブルーチンである。図６において、上記コンピュータシステムは、上記ステップＳ６で抽出された特定ノードに供給されているガスがガス性状ａか否かを判断する（ステップＳ２０）。そして、ガス性状ａである場合、処理を次のステップＳ２１に進め、ガス性状ａでない場合、次のステップＳ２６に処理を進める。
【００６１】
ステップＳ２１では、上記コンピュータシステムは、上記ステップＳ３で設定された第１および第２の製造所１および２の送出量に対して、第１の製造所１の送出量の減量あるいは第２の製造所２の送出量の増量を促す。そして、中央指令室７では、上記コンピュータシステムの指示に基づいて、第１および第２の製造所１および２の送出量を予め設定されている規定量の範囲で（ステップＳ２２）入力する。そして、上記規定量の範囲で第１および第２の製造所１および２の送出量の入力が可能である場合、それらの送出量を新たに入力して、次のステップＳ２３に処理を進める。一方、上記規定量の範囲で第１および第２の製造所１および２の送出量の入力が不可能である場合、新たな送出量の入力はせずに、次のステップＳ３１に処理を進める。
【００６２】
ステップＳ２３では、上記コンピュータシステムは、新たに入力された第１および第２の製造所１および２の送出量に基づいて、時間帯ｔにおける導管網解析を実行する。上記コンピュータシステムは、上記ステップＳ２３で実行された導管網解析結果で示される各ノードのガス圧力が、それぞれの導管網に設定されている上記許容圧力範囲内であるか否かを判断する（ステップＳ２４）。そして、上記コンピュータシステムは、上記ステップＳ２４で上記許容圧力範囲を外れるノードがある場合、再度上記ステップＳ２１に戻って上記送出量の設定をやり直しを指示し、全てのノードが上記許容範囲内である場合は、次のステップＳ２５に処理を進める。なお、これらステップＳ２３およびＳ２４の処理は、上述したステップＳ４およびＳ５の処理と同様であるため、詳細な説明を省略する。
【００６３】
ステップＳ２５では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ２５で変化していると判断した場合、再度上記ステップＳ２１に戻って上記送出量の設定をやり直しを指示し、変化していないと判断した場合、特定ノードには同じガス性状のガスが安定して供給されていると判断して、当該サブルーチンによる処理を終了し、ステップＳ９に処理を進める。
【００６４】
このステップＳ２５の処理についても、上述したステップＳ７の処理と同様であるが、図７および図８を参照して、上記対策１によって特定ノードｎ７のガス性状を安定させた一例を説明する。なお、図７は、対策１の実行前で特定ノードのガス性状が変化した状態（つまり、上記ステップＳ７で「変化あり」と判断された状態）における高圧幹線１０および中圧Ａガス導管網１１のガス流量およびガス圧力を具体的な数値の一例で示している。また、図８は、対策１を実行することによって特定ノードのガス性状が安定した高圧幹線１０および中圧Ａガス導管網１１のガス流量およびガス圧力を具体的な数値の一例で示している。
【００６５】
図７および図８において、高圧幹線１０および中圧Ａガス導管網１１に設けられたノードやガバナは、対策１の説明を容易にするために、図３で説明した配置位置と異なっている。具体的には、高圧幹線１０は、上記高圧を中圧Ａに降圧する複数の高圧ガバナ３ａ〜３ｄを介して中圧Ａガス導管網１１と接続されている。そして、高圧幹線１０にはノードｎ１〜ｎ４が設けられ、中圧Ａガス導管網１１にはノードｎ５〜ｎ１５が設けられている。第１および第２の製造所１および２から高圧幹線２に送出されたガス性状ａおよびｂのガスは、それぞれ高圧幹線１０に設けられたノードｎ１およびｎ４に流入する。ノードｎ１に流入したガスは、ノードｎ２および高圧ガバナ３ａに分流する。そして、ノードｎ４に流入したガスは、ノードｎ３および高圧ガバナ３ｄに分流する。ノードｎ２は、高圧幹線１０上でノードｎ１およびｎ３の間に設けられており、高圧幹線１０を流動するガスを高圧ガバナ３ｂへ分流する。そして、ノードｎ３は、高圧幹線１０上でノードｎ２およびｎ４の間に設けられており、高圧幹線１０を流動するガスを高圧ガバナ３ｃへ分流する。
【００６６】
高圧ガバナ３ａ〜３ｄを介して中圧Ａガス導管網１１に流入するガスは、それぞれ中圧Ａガス導管網１１に設けられたノードｎ６、ｎ８、ｎ１２、およびｎ１４から流入する。ノードｎ６は、ノードｎ５およびｎ７の間に設けられており、高圧ガバナ３ａから流入したガスをノードｎ５およびｎ７に分流する。ノードｎ８は、ノードｎ７およびｎ９の間に設けられており、高圧ガバナ３ｂから流入したガスをノードｎ７およびｎ９に分流する。ノードｎ１２は、ノードｎ１１およびｎ１３の間に設けられており、高圧ガバナ３ｃから流入したガスをノードｎ１１およびｎ１３に分流する。ノードｎ１４は、ノードｎ１３およびｎ１５の間に設けられており、高圧ガバナ３ｄから流入したガスをノードｎ１３およびｎ１５に分流する。そして、ノードｎ５、ｎ７、ｎ９、ｎ１１、ｎ１３、およびｎ１５は、中圧Ａガス導管網１１を流動するガスをそれぞれ中圧Ａガバナ４（図示せず）を介して中圧ｂガス導管網１２へ送出する。
【００６７】
ノードｎ１０は、中圧Ａガス導管網１１上でノードｎ９およびｎ１１の間に設けられており、中圧Ａガス導管網１１を流動するガスを上述した需用者２２へ分流する。図７および図８に示したガス供給システムでは、このノードｎ１０が上記特定ノードとして設定される。
【００６８】
ここで、図７における高圧幹線１０を流動するガス性状について注目する。第１の製造所１から送出されたガス性状ａのガス流量２００千Ｎｍ３／ｈのガスは、ノードｎ１〜ｎ３を流動している。第２の製造所２から送出されたガス性状ｂのガス流量１００千Ｎｍ３／ｈのガスは、ノードｎ３およびｎ４を流動している。つまり、ノードｎ３には、ガス性状ａおよびｂのガスが混合されて流動している。そして、中圧Ａガス導管網１１のノードｎ６およびｎ８にはノードｎ１およびｎ２からガス性状ａのガスが流入し、ノードｎ１２にはノードｎ３からガス性状ａおよびｂが混合したガスが流入し、ノードｎ１４にはノードｎ４からガス性状ｂのガスが流入している。
【００６９】
一方、特定ノードｎ１０は、負荷流量１０千Ｎｍ３／ｈ、ガス圧力０．６４ＭＰａが示されている。そして、上述したガス性状のガスが中圧Ａガス導管網１１に送出された結果、特定ノードｎ１０には、ノードｎ８を介してノードｎ９からガス性状ａのガス流量２５千Ｎｍ３／ｈのガスが供給されている。そして、特定ノードｎ１０は、ノードｎ９から供給されたガス性状ａのガス流量２５千Ｎｍ３／ｈのガスから、負荷流量１０千Ｎｍ３／ｈを需要者２２へ、残りのガス流量１５千Ｎｍ３／ｈをノードｎ１１へ分流する。この場合、上記コンピュータシステムは、特定ノードｎ１０に供給されるガス性状としてガス性状ａを抽出する。そして、このガス性状ａが上記ステップＳ７で「変化あり」と判断された状態と仮定する。
【００７０】
図８において、上記ステップＳ２１では、図７に示した状態に対して第１の製造所１からの送出量を減量し第２の製造所２からの送出量を増量させている。具体的には、第１の製造所１からの送出量を減量することによって、第１の製造所１から送出されたガス性状ａのガス流量１００千Ｎｍ３／ｈのガスは、ノードｎ１を流動している。また、第２の製造所２からの送出量を増量することによって、第２の製造所２から送出されたガス性状ｂのガス流量２００千Ｎｍ３／ｈのガスは、ノードｎ１〜ｎ４を流動している。つまり、ノードｎ１には、ガス性状ａおよびｂのガスが混合されて流動している。そして、中圧Ａガス導管網１１のノードｎ６にはノードｎ１からガス性状ａおよびｂが混合したガスが流入し、ノードｎ８、ｎ１２、およびｎ１４にはそれぞれノードｎ２、ｎ３、およびｎ４からガス性状ｂのガスが流入している。
【００７１】
この結果、特定ノードｎ１０には、ノードｎ８を介してノードｎ９からガス性状ｂのガス流量２５千Ｎｍ３／ｈのガスが供給されている。そして、特定ノードｎ１０は、ノードｎ９から供給されたガス性状ｂのガス流量２５千Ｎｍ３／ｈのガスから、負荷流量１０千Ｎｍ３／ｈを需要者２２へ、残りのガス流量１５千Ｎｍ３／ｈをノードｎ１１へ分流する。つまり、特定ノードｎ１０には、図７に示した状態ではガス性状ａのガスが供給されており、対策１を実行することによってガス性状ｂのガスが供給される。したがって、上記ステップＳ７で「変化あり」と判定された状態から、上記対策１を実行することによって、上記ステップＳ２５で「変化なし」と判定される状態（つまり、特定ノードｎ１０に供給されるガス性状が安定）に導くことができる。
【００７２】
図６に戻り、ステップＳ２６では、上記コンピュータシステムは、上記ステップＳ３で設定された第１および第２の製造所１および２の送出量に対して、第１の製造所１の送出量の増量あるいは第２の製造所２の送出量の減量を促す。そして、中央指令室７では、上記コンピュータシステムの指示に基づいて、第１および第２の製造所１および２の送出量を予め設定されている規定量の範囲で（ステップＳ２７）入力する。そして、上記規定量の範囲で第１および第２の製造所１および２の送出量の入力が可能である場合、それらの送出量を新たに入力して、次のステップＳ２８に処理を進める。一方、上記規定量の範囲で第１および第２の製造所１および２の送出量の入力が不可能である場合、新たな送出量の入力はせずに、次のステップＳ３１に処理を進める。
【００７３】
ステップＳ２８では、上記コンピュータシステムは、新たに入力された第１および第２の製造所１および２の送出量に基づいて、時間帯ｔにおける導管網解析を実行する。上記コンピュータシステムは、上記ステップＳ２８で実行された導管網解析結果で示される各ノードのガス圧力が、それぞれの導管網に設定されている上記許容圧力範囲内であるか否かを判断する（ステップＳ２９）。そして、上記コンピュータシステムは、上記ステップＳ２９で上記許容圧力範囲を外れるノードがある場合、再度上記ステップＳ２６に戻って上記送出量の設定をやり直しを指示し、全てのノードが上記許容範囲内である場合は、次のステップＳ３０に処理を進める。
【００７４】
ステップＳ３０では、上記コンピュータシステムは、上記特定ノードに供給されるガス性状が、上記前回の抽出結果と比較して変化したか否かを判断する。そして、上記コンピュータシステムは、上記ステップＳ３０で変化していると判断した場合、再度上記ステップＳ２６に戻って上記送出量の設定をやり直しを指示し、変化していないと判断した場合、特定ノードには同じガス性状のガスが安定して供給されていると判断して、当該サブルーチンによる処理を終了し、ステップＳ９に処理を進める。なお、これらステップＳ２８〜Ｓ３０の処理は、上述したステップＳ２３〜Ｓ２５の処理と同様であるため、詳細な説明を省略する。
【００７５】
ステップＳ３１では、上記コンピュータシステムは、対策１のみの実行によって特定ノードに供給されるガス性状を安定させる効果がないと判断して、当該サブルーチンによる処理を終了し、ステップＳ９に処理を進める。なお、当該サブルーチンの終了時点の第１および第２の製造所１および２の送出量は、上記ステップＳ２２あるいはＳ２７で判定される規定量の範囲で入力された直近の第１および第２の製造所１および２の送出量に更新され、時間帯ｔにおける設定値となる。
【００７６】
図２に戻り、ステップＳ９では、上記コンピュータシステムは、上記ステップＳ８の対策１の実行によって特定ノードに対するガス性状変化を防止する効果があるか否かを判断する。具体的には、上記コンピュータシステムは、上記ステップＳ２５あるいはＳ３０で「変化なし」と判断した場合、対策１の実行効果があると判断して、次のステップＳ１５に処理を進める。一方、上記コンピュータシステムは、上記ステップＳ３１で「効果なし」と判断した場合、次のステップＳ１０に処理を進める。
【００７７】
ステップＳ１０では、上記コンピュータシステムは、対策２の実行解析を行う。図９は、ステップＳ１０における対策２の実行解析の処理を示すサブルーチンである。図９において、上記コンピュータシステムは、上記ステップＳ６で抽出された特定ノードに供給されているガスが上記第１方向にあるノードから供給されているか否かを判断する（ステップＳ４０）。そして、特定ノードに上記第１方向にあるノードからガスが供給されている場合、処理を次のステップＳ４１に進め、上記第１方向にあるノードからガスが供給されていない場合、次のステップＳ４６に処理を進める。
【００７８】
ステップＳ４１では、上記コンピュータシステムは、上述した図３で示したガス供給システムの場合、上記ステップＳ３で設定されたガバナの設定値に対して、第１方向にある高圧ガバナ３ａ（図３参照）の設定値の減圧、あるいは第２方向にある高圧ガバナ３ｂの設定値の増圧を促す。そして、中央指令室７では、上記コンピュータシステムの指示に基づいて、高圧ガバナ３ａおよび／または３ｂの設定値を予め設定されている規定範囲内で（ステップＳ４２）入力する。そして、上記規定範囲内で高圧ガバナ３ａおよび／または３ｂの設定値の入力が可能である場合、それらの設定値を新たに入力して、次のステップＳ４３に処理を進める。一方、上記規定範囲内で高圧ガバナ３ａおよび／または３ｂの設定値の入力が不可能である場合、新たな設定値の入力はせずに、次のステップＳ５１に処理を進める。
【００７９】
ステップＳ４３では、上記コンピュータシステムは、新たに入力された高圧ガバナ３ａおよび３ｂの設定値に基づいて、時間帯ｔにおける導管網解析を実行する。なお、ステップＳ４３では、上記ステップＳ８の処理終了時点で更新された第１および第２の製造所１および２の送出量が用いられる。そして、上記コンピュータシステムは、上記ステップＳ４３で実行された導管網解析結果で示される各ノードのガス圧力が、それぞれの導管網に設定されている上記許容圧力範囲内であるか否かを判断する（ステップＳ４４）。そして、上記コンピュータシステムは、上記ステップＳ４４で上記許容圧力範囲を外れるノードがある場合、再度上記ステップＳ４１に戻って上記設定値の設定をやり直しを指示し、全てのノードが上記許容範囲内である場合は、次のステップＳ４５に処理を進める。なお、これらステップＳ４３およびＳ４４の処理は、上述したステップＳ４およびＳ５の処理と同様であるため、詳細な説明を省略する。
【００８０】
ステップＳ４５では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ４５で変化していると判断した場合、再度上記ステップＳ４１に戻って上記設定値の設定のやり直しを指示し、変化していないと判断した場合、特定ノードには同じガス性状のガスが安定して供給されていると判断して、当該サブルーチンによる処理を終了し、ステップＳ１１に処理を進める。
【００８１】
このステップＳ４５の処理についても、上述したステップＳ７の処理と同様であるが、図１０を参照して、上記対策２によって特定ノードｎ７のガス性状を安定させた一例を説明する。なお、説明を具体的にするために、図５で示した状態を、特定ノードｎ７において対策２が実行される前のガス性状が変化した状態（つまり、上記ステップＳ７で「変化あり」と判断された状態）とする。また、説明を単純にするために、図５に示した状態から対策２のみを実行する（つまり、上記対策１が未実行）一例を説明する。なお、図１０は、対策２を実行することによって特定ノードｎ７のガス性状が安定した中圧Ａガス導管網１１のガス流量およびガス圧力を具体的な数値の一例で示している。
【００８２】
図１０において、上記ステップＳ４１では、図５に示した状態に対して高圧ガバナ３ａの設定値を減圧し高圧ガバナ３ｂの設定値を増圧させている。具体的には、高圧ガバナ３ａの設定値を減圧することによって、高圧ガバナ３ａを通過するガス流量が減少するため、ノードｎ４に流入するガス流量が、１０１→５１千Ｎｍ３／ｈに減少している。また、高圧ガバナ３ｂの設定値を増圧することによって、高圧ガバナ３ｂを通過するガス流量が増加するため、ノードｎ１０に流入するガス流量が、５６→１０６千Ｎｍ３／ｈに増加している。これらによって、中圧Ａガス導管網１１に流入するガス性状ａのガスがノードｎ３〜ｎ５の間を流動し、ガス性状ｂのガスがノードｎ５〜ｎ１１の間を流動する。その結果、特定ノードｎ７には、ノードｎ８からガス性状ｂのガス流量３３千Ｎｍ３／ｈのガスが供給されている。つまり、特定ノードｎ７には、図５に示した状態ではガス性状ａのガスが供給されており、対策２を実行することによってガス性状ｂのガスが供給される。したがって、上記ステップＳ７で「変化あり」と判定された状態から、上記対策２を実行することによって、上記ステップＳ４５で「変化なし」と判定される状態（つまり、特定ノードｎ７に供給されるガス性状が安定）に導くことができる。なお、図１０は、上記対策２のみを実行する一例を示しており、上記対策１および２を同時に実行することによって、さらに対策の効果が期待できることは言うまでもない。
【００８３】
図９に戻り、ステップＳ４６では、上記コンピュータシステムは、上記ステップＳ３で設定されたガバナの設定値に対して、第１方向にある高圧ガバナ３ａの設定値の増圧、あるいは第２方向にある高圧ガバナ３ｂの設定値の減圧を促す。そして、中央指令室７では、上記コンピュータシステムの指示に基づいて、高圧ガバナ３ａおよび／または３ｂの設定値を予め設定されている規定範囲内で（ステップＳ４７）入力する。そして、上記規定範囲内で高圧ガバナ３ａおよび／または３ｂの設定値の入力が可能である場合、それらの設定値を新たに入力して、次のステップＳ４８に処理を進める。一方、上記規定範囲内で高圧ガバナ３ａおよび／または３ｂの設定値の入力が不可能である場合、新たな設定値の入力はせずに、次のステップＳ５１に処理を進める。
【００８４】
ステップＳ４８では、上記コンピュータシステムは、新たに入力された高圧ガバナ３ａおよび３ｂの設定値に基づいて、時間帯ｔにおける導管網解析を実行する。なお、ステップＳ４８でも、上記ステップＳ８の処理終了時点で更新された第１および第２の製造所１および２の送出量が用いられる。そして、上記コンピュータシステムは、上記ステップＳ４８で実行された導管網解析結果で示される各ノードのガス圧力が、それぞれの導管網に設定されている上記許容圧力範囲内であるか否かを判断する（ステップＳ４９）。そして、上記コンピュータシステムは、上記ステップＳ４９で上記許容圧力範囲を外れるノードがある場合、再度上記ステップＳ４６に戻って上記設定値の設定をやり直しを指示し、全てのノードが上記許容範囲内である場合は、次のステップＳ５０に処理を進める。
【００８５】
ステップＳ５０では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ５０で変化していると判断した場合、再度上記ステップＳ４６に戻って上記設定値の設定のやり直しを指示し、変化していないと判断した場合、特定ノードには同じガス性状のガスが安定して供給されていると判断して、当該サブルーチンによる処理を終了し、ステップＳ１１に処理を進める。なお、これらステップＳ４８〜Ｓ５０の処理は、上述したステップＳ４３〜Ｓ４５の処理と同様であるため、詳細な説明を省略する。
【００８６】
ステップＳ５１では、上記コンピュータシステムは、対策１＋２の実行によって特定ノードに供給されるガス性状を安定させる効果がないと判断して、当該サブルーチンによる処理を終了し、ステップＳ１１に処理を進める。なお、当該サブルーチンの終了時点の高圧ガバナ３ａおよび３ｂの設定値は、上記ステップＳ４２あるいはＳ４７で判定される規定範囲内で入力された直近の高圧ガバナ３ａおよび３ｂの設定値に更新される。
【００８７】
なお、上述した対策２の実行解析の処理を示すサブルーチンによる処理では、特定ノードｎ７に対して隣接する高圧幹線１０と接続する高圧ガバナ３ａおよび／または３ｂを対象として設定値の変更を行ったが、設定値を変更する高圧ガバナは、特定ノードに隣接していなくてもかまわない。
【００８８】
図２に戻り、ステップＳ１１では、上記コンピュータシステムは、上記ステップＳ１０の対策２の実行によって特定ノードに対するガス性状変化を防止する効果があるか否かを判断する。具体的には、上記コンピュータシステムは、上記ステップＳ４５あるいはＳ５０で「変化なし」と判断した場合、対策１＋２の実行効果があると判断して、次のステップＳ１５に処理を進める。一方、上記コンピュータシステムは、上記ステップＳ５１で「効果なし」と判断した場合、次のステップＳ１２に処理を進める。
【００８９】
ステップＳ１２では、上記コンピュータシステムは、対策３の実行解析を行う。図１１は、ステップＳ１２における対策３の実行解析の処理を示すサブルーチンである。図１１において、上記コンピュータシステムは、上記ステップＳ６で抽出された特定ノードに供給されているガスが上記第１方向にあるノードから供給されているか否かを判断する（ステップＳ６０）。そして、特定ノードに上記第１方向にあるノードからガスが供給されている場合、処理を次のステップＳ６１に進め、上記第１方向にあるノードからガスが供給されていない場合、次のステップＳ７１に処理を進める。
【００９０】
ステップＳ６１では、上記コンピュータシステムは、上記ステップＳ３で設定された上記第１方向にあるホルダ５ａ（図３参照）の活動を、払出停止あるいは受入開始に設定するように促す。そして、中央指令室７では、上記コンピュータシステムの指示に基づいて、可能なホルダ５ａの活動（ステップＳ６２）を設定する。そして、上記ステップＳ６１で指示されたホルダ５ａの活動が可能である場合、その設定を新たに入力して、次のステップＳ６３に処理を進める。一方、既にホルダ５ａが受入状態である等、指示されたホルダ５ａの活動が不可能である場合、新たな設定の入力はせずに、次のステップＳ６６に処理を進める。
【００９１】
ステップＳ６３では、上記コンピュータシステムは、新たに入力されたホルダ５ａの設定に基づいて、時間帯ｔにおける導管網解析を実行する。なお、ステップＳ６３では、上記ステップＳ８の処理終了時点で更新された第１および第２の製造所１および２の送出量と、上記ステップＳ１０の処理終了時点で更新された高圧ガバナ３ａおよび３ｂの設定値とが用いられる。そして、上記コンピュータシステムは、上記ステップＳ６３で実行された導管網解析結果で示される各ノードのガス圧力が、それぞれの導管網に設定されている上記許容圧力範囲内であるか否かを判断する（ステップＳ６４）。そして、上記コンピュータシステムは、上記ステップＳ６４で上記許容圧力範囲を外れるノードがある場合、再度上記ステップＳ６１に戻って上記ホルダ５ａの活動の設定のやり直しを指示し、全てのノードが上記許容範囲内である場合は、次のステップＳ６５に処理を進める。なお、これらステップＳ６３およびＳ６４の処理は、上述したステップＳ４およびＳ５の処理と同様であるため、詳細な説明を省略する。
【００９２】
ステップＳ６５では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ６５で変化していると判断した場合、再度上記ステップＳ６１に戻って上記ホルダ５ａの活動の設定のやり直しを指示し、変化していないと判断した場合、特定ノードには同じガス性状のガスが安定して供給されていると判断して、当該サブルーチンによる処理を終了し、ステップＳ１３に処理を進める。なお、上記対策３によって特定ノードｎ７のガス性状を安定させた一例の説明は、後述する。
【００９３】
一方、ステップＳ６６では、上記コンピュータシステムは、上記ステップＳ３で設定された上記第２方向にあるホルダ５ｂ（図３参照）の活動を、受入停止あるいは払出開始に設定するように促す。そして、中央指令室７では、上記コンピュータシステムの指示に基づいて、可能なホルダ５ｂの活動（ステップＳ６７）を設定する。そして、上記ステップＳ６６で指示されたホルダ５ｂの活動が可能である場合、その設定を新たに入力して、次のステップＳ６８に処理を進める。一方、既にホルダ５ｂが払出状態である等、指示されたホルダ５ｂの活動が不可能である場合、新たな設定の入力はせずに、次のステップＳ８１に処理を進める。
【００９４】
ステップＳ６８では、上記コンピュータシステムは、新たに入力されたホルダ５ｂの設定に基づいて、時間帯ｔにおける導管網解析を実行する。なお、ステップＳ６８では、上記ステップＳ８の処理終了時点で更新された第１および第２の製造所１および２の送出量と、上記ステップＳ１０の処理終了時点で更新された高圧ガバナ３ａおよび３ｂの設定値と、上記ステップＳ６１の処理で新たに設定されたホルダ５ａの活動の設定とが用いられる。そして、上記コンピュータシステムは、上記ステップＳ６８で実行された導管網解析結果で示される各ノードのガス圧力が、それぞれの導管網に設定されている上記許容圧力範囲内であるか否かを判断する（ステップＳ６９）。そして、上記コンピュータシステムは、上記ステップＳ６９で上記許容圧力範囲を外れるノードがある場合、再度上記ステップＳ６６に戻って上記ホルダ５ｂの活動の設定のやり直しを指示し、全てのノードが上記許容範囲内である場合は、次のステップＳ７０に処理を進める。なお、これらステップＳ６８およびＳ６９の処理は、上述したステップＳ４およびＳ５の処理と同様であるため、詳細な説明を省略する。
【００９５】
ステップＳ７０では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ７０で変化していると判断した場合、再度上記ステップＳ６６に戻って上記ホルダ５ｂの活動の設定のやり直しを指示し、変化していないと判断した場合、特定ノードには同じガス性状のガスが安定して供給されていると判断して、当該サブルーチンによる処理を終了し、ステップＳ１３に処理を進める。
【００９６】
上記ステップＳ６５およびＳ７０の処理についても、上述したステップＳ７の処理と同様であるが、図１２を参照して、上記対策３によって特定ノードｎ７のガス性状を安定させた一例を説明する。なお、図１２は、対策３を実行することによって特定ノードｎ７のガス性状が安定した中圧Ａガス導管網１１のガス流量およびガス圧力を具体的な数値の一例で示している。なお、説明を具体的にするために、図５で示した状態を、特定ノードｎ７において対策３が実行される前のガス性状が変化した状態（つまり、上記ステップＳ７で「変化あり」と判断された状態）とする。また、説明を単純にするために、図５に示した状態から対策３のみを実行する（つまり、上記対策１および２が未実行）一例を説明する。
【００９７】
図１２において、上記ステップＳ６１で図５に示した状態に対してホルダ５ａを受入開始状態に設定し、上記ステップＳ６６で図５に示した状態に対してホルダ５ｂを払出開始状態に設定している。具体的には、ホルダ５ａが受入開始状態に設定されることによって、ノードｎ３の負荷流量が、３２→６２千Ｎｍ３／ｈに増加している。また、ホルダ５ｂが払出開始状態に設定されることによって、ノードｎ１１の負荷流量が、５０→２０千Ｎｍ３／ｈに減少している。これらによって、中圧Ａガス導管網１１に流入するガス性状ａのガスがノードｎ３〜ｎ５の間を流動し、ガス性状ｂのガスがノードｎ５〜ｎ１１の間を流動する。その結果、特定ノードｎ７には、ノードｎ８からガス性状ｂのガス流量１３千Ｎｍ３／ｈのガスが供給されている。つまり、特定ノードｎ７には、図５に示した状態ではガス性状ａのガスが供給されており、対策３を実行することによってガス性状ｂのガスが供給される。したがって、上記ステップＳ７で「変化あり」と判定された状態から、上記対策３を実行することによって、上記ステップＳ６５あるいはＳ７０で「変化なし」と判定される状態（つまり、特定ノードｎ７に供給されるガス性状が安定）に導くことができる。なお、図１２は、上記対策３のみを実行する一例を示しており、上記対策１〜３を同時に実行することによって、さらに対策の効果が期待できることは言うまでもない。
【００９８】
一方、ステップＳ７１では、上記コンピュータシステムは、上記ステップＳ３で設定された上記第２方向にあるホルダ５ｂの活動を、払出停止あるいは受入開始に設定するように促す。そして、中央指令室７では、上記コンピュータシステムの指示に基づいて、可能なホルダ５ｂの活動（ステップＳ７２）を設定する。そして、上記ステップＳ７１で指示されたホルダ５ｂの活動が可能である場合、その設定を新たに入力して、次のステップＳ７３に処理を進める。一方、既にホルダ５ｂが受入状態である等、指示されたホルダ５ｂの活動が不可能である場合、新たな設定の入力はせずに、次のステップＳ７６に処理を進める。
【００９９】
ステップＳ７３では、上記コンピュータシステムは、新たに入力されたホルダ５ｂの設定に基づいて、時間帯ｔにおける導管網解析を実行する。なお、ステップＳ７３では、上記ステップＳ８の処理終了時点で更新された第１および第２の製造所１および２の送出量と、上記ステップＳ１０の処理終了時点で更新された高圧ガバナ３ａおよび３ｂの設定値とが用いられる。そして、上記コンピュータシステムは、上記ステップＳ７３で実行された導管網解析結果で示される各ノードのガス圧力が、それぞれの導管網に設定されている上記許容圧力範囲内であるか否かを判断する（ステップＳ７４）。そして、上記コンピュータシステムは、上記ステップＳ７４で上記許容圧力範囲を外れるノードがある場合、再度上記ステップＳ７１に戻って上記ホルダ５ｂの活動の設定のやり直しを指示し、全てのノードが上記許容範囲内である場合は、次のステップＳ７５に処理を進める。
【０１００】
ステップＳ７５では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ７５で変化していると判断した場合、再度上記ステップＳ７１に戻って上記ホルダ５ｂの活動の設定のやり直しを指示し、変化していないと判断した場合、特定ノードには同じガス性状のガスが安定して供給されていると判断して、当該サブルーチンによる処理を終了し、ステップＳ１３に処理を進める。なお、これらステップＳ７３〜Ｓ７５の処理は、上述したステップＳ６３〜Ｓ６５の処理と同様であるため、詳細な説明を省略する。
【０１０１】
一方、ステップＳ７６では、上記コンピュータシステムは、上記ステップＳ３で設定された上記第１方向にあるホルダ５ａの活動を、受入停止あるいは払出開始に設定するように促す。そして、中央指令室７では、上記コンピュータシステムの指示に基づいて、可能なホルダ５ａの活動（ステップＳ７７）を設定する。そして、上記ステップＳ７６で指示されたホルダ５ａの活動が可能である場合、その設定を新たに入力して、次のステップＳ７８に処理を進める。一方、既にホルダ５ａが払出状態である等、指示されたホルダ５ａの活動が不可能である場合、新たな設定の入力はせずに、次のステップＳ８１に処理を進める。
【０１０２】
ステップＳ７８では、上記コンピュータシステムは、新たに入力されたホルダ５ａの設定に基づいて、時間帯ｔにおける導管網解析を実行する。なお、ステップＳ７８では、上記ステップＳ８の処理終了時点で更新された第１および第２の製造所１および２の送出量と、上記ステップＳ１０の処理終了時点で更新された高圧ガバナ３ａおよび３ｂの設定値と、上記ステップＳ７１の処理で新たに設定されたホルダ５ｂの活動の設定とが用いられる。そして、上記コンピュータシステムは、上記ステップＳ７８で実行された導管網解析結果で示される各ノードのガス圧力が、それぞれの導管網に設定されている上記許容圧力範囲内であるか否かを判断する（ステップＳ７９）。そして、上記コンピュータシステムは、上記ステップＳ７９で上記許容圧力範囲を外れるノードがある場合、再度上記ステップＳ７６に戻って上記ホルダ５ａの活動の設定のやり直しを指示し、全てのノードが上記許容範囲内である場合は、次のステップＳ８０に処理を進める。
【０１０３】
ステップＳ８０では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ８０で変化していると判断した場合、再度上記ステップＳ７６に戻って上記ホルダ５ａの活動の設定のやり直しを指示し、変化していないと判断した場合、特定ノードには同じガス性状のガスが安定して供給されていると判断して、当該サブルーチンによる処理を終了し、ステップＳ１３に処理を進める。なお、これらステップＳ７８〜Ｓ８０の処理は、上述したステップＳ６８〜Ｓ７０の処理と同様であるため、詳細な説明を省略する。
【０１０４】
ステップＳ８１では、上記コンピュータシステムは、対策１〜３の実行によって特定ノードに供給されるガス性状を安定させる効果がないと判断して、当該サブルーチンによる処理を終了し、ステップＳ１３に処理を進める。なお、当該サブルーチンの終了時点のホルダ５ａおよび５ｂの設定は、上記ステップＳ６２、Ｓ６７、Ｓ７２、あるいはＳ７７で可能と判定され入力された直近の設定に更新される。
【０１０５】
図２に戻り、ステップＳ１３では、上記コンピュータシステムは、上記ステップＳ１２の対策３の実行によって特定ノードに対するガス性状変化を防止する効果があるか否かを判断する。具体的には、上記コンピュータシステムは、上記ステップＳ４５あるいはＳ５０で「変化なし」と判断した場合、対策１〜３の実行効果があると判断して、次のステップＳ１５に処理を進める。一方、上記コンピュータシステムは、上記ステップＳ８１で「効果なし」と判断した場合、次のステップＳ１４に処理を進める。
【０１０６】
ステップＳ１４では、上記コンピュータシステムは、対策４の実行解析を行う。図１３は、ステップＳ１４における対策４の実行解析の処理を示すサブルーチンである。図１３において、上記コンピュータシステムは、現在解析の対象となっている導管網に対して、時間帯ｔで工事等による導管のバルブ閉止／開放操作が予定されているか否かを判断する（ステップＳ８０）。そして、時間帯ｔで上記バルブの閉止／開放操作が予定されている場合、処理を次のステップＳ８１に進め、予定されていない場合、次のステップＳ８６に処理を進める。
【０１０７】
ステップＳ８１では、上記コンピュータシステムは、時間帯ｔにおいて予定されている上記バルブ閉止／開放操作を延期するように促す。そして、中央指令室７では、上記コンピュータシステムの指示に基づいて、時間帯ｔにおいて予定されている上記バルブ閉止／開放操作の延期が可能か否かを判断する（ステップＳ８２）。そして、上記ステップＳ８１で指示された延期が可能である場合、その操作の中止の設定を新たに入力して、次のステップＳ８３に処理を進める。一方、時間帯ｔにおける上記バルブの閉止／開放操作の延期が不可能である場合、新たな設定の入力はせずに、次のステップＳ８６に処理を進める。
【０１０８】
ステップＳ８３では、上記コンピュータシステムは、新たに入力された上記操作の中止設定に基づいて、時間帯ｔにおける導管網解析を実行する。なお、ステップＳ８３では、上記ステップＳ８の処理終了時点で更新された第１および第２の製造所１および２の送出量と、上記ステップＳ１０の処理終了時点で更新された高圧ガバナ３ａおよび３ｂの設定値と、上記ステップＳ１２の処理終了時点で更新されたホルダ５ａおよび５ｂの活動の設定とが用いられる。そして、上記コンピュータシステムは、上記ステップＳ８３で実行された導管網解析結果で示される各ノードのガス圧力が、それぞれの導管網に設定されている上記許容圧力範囲内であるか否かを判断する（ステップＳ８４）。そして、上記コンピュータシステムは、上記ステップＳ８４で上記許容圧力範囲を外れるノードがある場合、再度上記ステップＳ８１に戻って上記操作の中止が不可能であることを示し、再度、時間帯ｔにおいて予定されている上記バルブ閉止／開放操作の延期検討を促す。一方、上記コンピュータシステムは、上記ステップＳ８３で全てのノードが上記許容範囲内である場合、次のステップＳ８５に処理を進める。なお、これらステップＳ８３およびＳ８４の処理は、上述したステップＳ４およびＳ５の処理と同様であるため、詳細な説明を省略する。
【０１０９】
ステップＳ８５では、上記コンピュータシステムは、上記特定ノードに供給されるガス性状が、上記前回の抽出結果（例えば、時間帯ｔ−１の抽出結果）と比較して変化したか否かを判断する。そして、上記コンピュータシステムは、上記ステップＳ８５で変化していると判断した場合、処理を次のステップＳ８６に進め、変化していないと判断した場合、特定ノードには同じガス性状のガスが安定して供給されていると判断して、当該サブルーチンによる処理を終了し、ステップＳ１５に処理を進める。なお、上記ステップＳ８５の処理は、上記ステップＳ７の処理と同様であるため、詳細な説明を省略する。
【０１１０】
ステップＳ８６では、上記コンピュータシステムは、対策１〜４の実行によって特定ノードに供給されるガス性状を安定させる効果がないと判断して、当該サブルーチンによる処理を終了し、ステップＳ１５に処理を進める。なお、当該サブルーチンの終了時点の時間帯ｔにおけるバルブ閉止／開放操作の設定は、上記ステップＳ８２で延期可能と判断されている場合、その設定に更新される。
【０１１１】
図２に戻り、ステップＳ１５では、上記コンピュータシステムは、上記ステップＳ８〜Ｓ１４が選択的に実行された後の上記特定ノードに対するガス性状を抽出する。そして、上記コンピュータシステムは、このステップＳ１５で抽出された特定ノードに対するガス性状を用いて、上記ステップＳ６で抽出されたガス性状を更新して、上述したステップＳ１６に処理を進める。
【０１１２】
ステップＳ１６では、上記コンピュータシステムは、現在設定されている一時変数ｔが２４か否かを判断する。そして、上記コンピュータシステムは、一時変数ｔ＝２４ではない場合、現在の一時変数ｔを＋１し（ステップＳ１７）、上記ステップＳ２に戻って、新たな時間帯ｔにおけるガス需要量予測の設定を促す。一方、上記コンピュータシステムは、一時定数ｔ＝２４の場合、２４時間分の導管網解析が終了したと判断して、次のステップＳ１８に処理を進める。
【０１１３】
ステップＳ１８では、上記コンピュータシステムは、時間帯ｔ毎に上記ステップＳ６あるいはＳ１５で抽出された上記特定ノードにおけるガス性状と、時間帯ｔ毎に設定されている送出量および各設備の設定値とを用いて、特定ノード解析結果リストを作成する。そして、処理を次のステップに進める。以下、図１４を参照して、特定ノード解析結果リストについて説明する。なお、図１４は、上述した特定ノードｎ７に対して解析された特定ノード解析結果リストの一例を示している。
【０１１４】
図１４において、特定ノード解析結果リストには、導管網解析日に対する特定ノードｎ７におけるガス性状変化と、ガス供給システム全体における時間帯毎の送出量および各設備の設定値とが表現される。特定ノードｎ７におけるガス性状変化は、導管網解析日に対して設定されている時間帯を横軸とし、ガス性状を縦軸として、それぞれの時間帯に対するガス性状が示される。これらの時間帯に対するガス性状は、上述したステップＳ６あるいはＳ１５で抽出された特定ノードｎ７に対する時間帯ｔ毎のガス性状を用いて表現される。図１４に示した一例では、特定ノードｎ７に供給されるガス性状が、２４時間全体に対してガス性状ｂのガスが安定して供給されていることを示している。つまり、特定ノードｎ７を介して供給される需要者２２へは、ガス性状ｂのガスが安定して供給されることがわかる。一方、特定ノードｎ７に供給されるガスのガス性状が、導管網解析日の途中で変化した場合、特定ノードｎ７におけるガス性状変化においてその変化が示される。つまり、特定ノードｎ７におけるガス性状変化では、特定ノードｎ７におけるガス性状の変化の内容およびその時間帯を示すことができる。この場合、特定ノードｎ７を介してガスが供給される需要者２２に対して、事前にガス性状変化の内容およびその時間帯を連絡することも可能であり、需要者２２では、その時間帯に合わせた対応を取ることが可能となる。
【０１１５】
そして、特定ノード解析結果リストには、上述した特定ノードｎ７におけるガス性状変化を実現するために設定される、時間帯毎の送出量および各設備の設定値が示される。これらの設定値は、上述したステップＳ３で設定した値や、ステップＳ８、Ｓ１０、Ｓ１２、およびＳ１４で対策１〜４を実行する際に更新した値が用いられる。
【０１１６】
図２に戻り、上記コンピュータシステムは、上記ステップＳ３で設定あるいは上記ステップＳ８の対策１の実行によって更新された、第１および第２の製造所１および２における時間帯ｔ毎の送出量をガス送出量計画として作成し（ステップＳ１９）、当該フローチャートによる処理を終了する。そして、中央指令室７では、通信回線を介して、決定された第１および第２の製造所１および２のガス送出量計画を、それぞれの製造所へ送信する。
【０１１７】
なお、上述したそれぞれのステップにおける処理については、データインプット動作以外が全て上記コンピュータシステムによって自動的に行われてもかまわない。まず、上記コンピュータシステムに、予め製造所毎に送出可能な送出量や各設備の設定可能な設定値、さらに各導管網の上記最低圧力および上記最高圧力をインプットしておく。そして、上記ステップＳ２において、上記コンピュータシステムにガス需要量予測をインプットし、上記ステップＳ３において、工事状況等不定期な計画をインプットする。その後は、上記コンピュータシステムからの指示にしたがって、各設定値を修正してもいいし、上記コンピュータシステムが設定可能な範囲で自動的に設定値を修正してもかまわない。さらに、上記コンピュータシステムは、上記導管網解析を、各導管網毎に処理することも可能であり、ガス供給システム全体を一度に処理することも可能である。
【０１１８】
このように、本発明の一実施形態に係るガス供給システムによれば、導管網内に設けられた複数のノードに供給されるガス性状を事前に解析することができる。例えば、上記複数のノードの内から、わずかなガス性状の変動でも支障が生じる特殊なガス用途で製造する需要者に供給する導管に対して、当該需要者に最も近いノードを特定ノードとして選ぶ。この場合、上記特定ノードに供給されるガスのガス性状を事前に解析することができる。つまり、上記需要者に対して供給するガス性状を事前に解析することができる。また、上記特定ノードに供給されるガス性状が変化する場合、種々の対策を事前に実行解析し、それぞれの対策効果を判断することによって、上記特定ノードに供給されるガス性状を安定して供給するためのガス製造量および各設備の設定値も解析されるため、事前に上記安定供給のためのガス製造量および各設備の設定値を容易に知ることができる。さらに、上記特定ノードに供給されるガス性状が変化する場合、その変化の内容およびその変化が生じる時間帯を事前に知ることができるため、上記特定ノードを介してガスが供給される需要者に対して事前に通知することも可能である。また、上記導管網解析では、導管のバルブ閉止／開放操作が予定されている工事についても解析されているため、上記安定供給を実現するための工事の実行可否も事前に判断することができる。
【０１１９】
なお、図２で示したフローチャートでは、対策１〜４を順次実行解析し、効果が確認した時点で当該実行解析を終了しているが、このような対策実行解析順序でなくてもかまわない。上記対策実行解析順序は、ガス供給システムにおいて変更が容易な順序で行えば、同様の効果が期待できる。また、対策１〜４を並列に実行解析し、それぞれの効果を判断した後、ガス製造コスト等を考慮した最も好ましい対策を選択してもよい。
【０１２０】
また、上述したガス供給システムに２つの製造所がガスを供給する一例を説明したが、導管網に３つ以上の製造所からガスを供給してもかまわない。さらに、導管網にガスを供給するそれぞれの製造所からの送出量を制御する方式は、ＰＣ送出方式、ＦＣ送出方式、あるいはＰＣ−ＦＣ送出方式を用いることが可能である、送出量の制御方式に限定されないことは、言うまでもない。
【図面の簡単な説明】
【図１】本発明の一実施形態に係るガス供給システムの高圧幹線１０および中圧Ａガス導管網１１に設けられるノードの一例を説明するための模式図である。
【図２】本発明の一実施形態に係るガス供給システムを制御する中央指令室７で行う送出量および各設備の設定を決定するための処理について説明するためのフローチャートである。
【図３】図１のノードｎ１〜ｎ１１に対して、導管網解析で得られるデータを示す模式図である。
【図４】図１の中圧Ａガス導管網１１に設定されたノードｎ３〜ｎ１１に対して、需要者２２にガス性状ｂのガスが供給される場合のガス流量およびガス圧力を具体的な数値の一例である。
【図５】図１の中圧Ａガス導管網１１に設定されたノードｎ３〜ｎ１１に対して、需要者２２にガス性状ａのガスが供給される場合のガス流量およびガス圧力を具体的な数値の一例である。
【図６】図２のステップＳ８における対策１の実行解析の処理を示すサブルーチンである。
【図７】対策１の実行前で特定ノードにガス性状ａのガスが供給される場合の高圧幹線１０および中圧Ａガス導管網１１のガス流量およびガス圧力を具体的な数値の一例である。
【図８】図６の対策１によって図７の特定ノードｎ１０のガス性状を安定させた一例である。
【図９】図２のステップＳ１０における対策２の実行解析の処理を示すサブルーチンである。
【図１０】図９の対策２によって特定ノードｎ７のガス性状を安定させた一例である。
【図１１】図２のステップＳ１２における対策３の実行解析の処理を示すサブルーチンである。
【図１２】図１１の対策３によって特定ノードｎ７のガス性状を安定させた一例である。
【図１３】図２のステップＳ１４における対策４の実行解析の処理を示すサブルーチンである。
【図１４】図２のステップＳ１８で作成される特定ノードｎ７に対して解析された特定ノード解析結果リストの一例である。
【図１５】各製造所から需要者までのガス供給システムを模式的に表したブロック図である。
【符号の説明】
１…第１の製造所
２…第２の製造所
３、４、６…ガバナ
５…ホルダ
７…中央指令室
１０…高圧幹線
１１…中圧Ａガス導管網
１２…中圧Ｂガス導管網
１３…低圧ガス供給導管網
２１〜２３…需要者
ｎ…ノード
【図１】
2004295567.tif 000003
【図２】
2004295567.tif 000004
【図３】
2004295567.tif 000005
【図４】
2004295567.tif 000006
【図５】
2004295567.tif 000007
【図６】
2004295567.tif 000008
【図７】
2004295567.tif 000009
【図８】
2004295567.tif 000010
【図９】
2004295567.tif 000011
【図１０】
2004295567.tif 000012
【図１１】
2004295567.tif 000013
【図１２】
2004295567.tif 000014
【図１３】
2004295567.tif 000015
【図１４】
2004295567.tif 000016
【図１５】
2004295567.tif 000017